(57)【要約】      （修正有）【課題】スピンドルを保持する軸受部の径が異なるディスクグラインダに対し、スピンドルとガードの中心を共通のアダプタで一致させることが出来る汎用性の高いガード装着機構を提供する。【解決手段】内蔵電動モータで回転駆動され、先端の一部におねじ部２を有するスピンドル３と、スピンドル３先端部に装着される円盤型刃具と、スピンドル３を軸支する軸受部６の外周を挟持するアダプタ７を構成に含み、円盤型刃具の外周の一部を覆うガード５とを有するディスクグラインダにおいて、アダプタ７とガード５を別体としアダプタ７に設けられた固定用ねじ穴３４に対し、ガード５の一部に穿設された位置調整用穴３７から、固定用ボルト４０を締結する構成とした上で、ガード５にスピンドル３と同軸上にあるセンター穴３１を穿設し、スピンドル３とセンター穴３１の双方に対し隙間なく挿通可能な挿通穴３２および挿通軸３３を同軸上に有する調心器具３０を備える。【選択図】図１
2018199202.tif 000002
【特許請求の範囲】
【請求項１】
内蔵した電動モータで回転駆動され、先端の一部におねじ部２を有するスピンドル３と、スピンドル３先端部に装着される円盤型刃具４と、スピンドル３を軸支する軸受部６の外周を挟持するアダプタ７を構成に含み、円盤型刃具４の外周の一部を覆うガード５と、を有する電動工具において、アダプタ７とガード５を別体とし、アダプタ７に設けられた固定用ねじ穴３４に対し、ガード５の一部に穿設された位置調整用穴３７から、固定用ボルト４０を締結する構成とした上で、ガード５にスピンドル３と同軸上にあるセンター穴３１を穿設し、スピンドル３とセンター穴３１の双方に対し隙間なく挿通可能な挿通穴３２および挿通軸３３を同軸上に有する調心器具３０を備えたことを特徴とする、上記電動工具のガード装着機構。
【請求項２】
上記アダプタ７を、ピン８で枢結させたクランプ（Ａ）９、クランプ（Ｂ）１０の２つからなる挟持具で構成し、クランプ（Ａ）９の開放端側にピン８の中心軸と同方向に枢結されたボルトホルダ（Ａ）１２と、クランプ（Ｂ）１０の開放端側にピン８の中心軸と同方向に枢結されたボルトホルダ（Ｂ）１９に対し、ボルトホルダ（Ａ）１２の中心軸を横貫する通し穴２５から、ボルトホルダ（Ｂ）１９中心軸を横貫するクランプねじ穴２６に向かって、クランプボルト２７を架設したことを特徴とする、請求項１に記載のガード装着機構。
【請求項３】
上記アダプタ７の内周部に、軸受部６の外周に周設された溝２９と嵌合する、爪２８を設けたことを特徴とする、請求項１に記載のガード装着機構。
【請求項４】
上記調心器具３０の挿通穴３２を、スピンドル３先端のおねじ部２と同じサイズのめねじ穴４３で構成したことを特徴とする、請求項１に記載のガード装着機構。
【請求項５】
上記調心器具３０に、ガード５のセンター穴３１よりも大きい径を有する段差４４を設けたことを特徴とする、請求項１又は４に記載のガード装着機構。
【発明の詳細な説明】
【技術分野】
【０００１】  本発明は、ディスクグラインダ等の電動工具に関するものである。
【背景技術】
【０００２】  現在建築現場等で幅広く使用されるディスクグラインダは、例えば特許文献１で示される実施例に代表されるように、内蔵した電動モータで回転駆動されるスピンドルの先端に、円盤型刃具（砥石１５）が装着されており、スピンドルを軸支する軸受部の外周をクランプするアダプタ部を構成に含み、円盤型刃具の同心円上で外周の一部を覆う、半円形のガード（砥石カバー７）を有している。【０００３】  ところでディスクグラインダは、メーカーによって軸受部の外径が異なることが多い。【０００４】  よってもし、図８に示す様に、軸受部６の外径が異なるディスクグラインダに対し、同じアダプタ付ガード４６を装着した場合、円盤型刃具４とアダプタ付ガード４６の中心軸に、ずれ４７が発生することになる。
ずれ４７が発生すると、円盤型刃具４とアダプタ付ガード４６の内壁との間の隙間４８が少なくなり、最悪の場合、両者が接触する可能性がある。また、あまりに小径の軸受部に装着した場合、アダプタ付ガード４６のアダプタ部の変形が過大となり、破損する恐れもある。【０００５】  そのため、基本的にガードは、各々のディスクグラインダの軸受部の外径に合った、専用のものを使用する必要がある。【０００６】  一方でガードは、例えば特許文献２で示される実施例のように、集塵機能などを持たせたものが汎用品として提供されている。【０００７】  本実施例ではアダプタ部（第一アダプタ３１、第二アダプタ３２）がガード（保護カバー１）に対し着脱可能な構成となっているので、装着するディスクグラインダの軸受部に合わせたアダプタを用意すれば、円盤型刃具（カッタ１１）とガードの中心を一致させることが出来る。
しかし、市場に存在する様々なディスクグラインダの全てに対し、専用のアダプタを用意するのは現実的ではなく、またアダプタが増える程、装着時の間違いが生じやすくなる。【０００８】  上記した問題点の解決策の一つとして、例えば特許文献３で示される実施例では、アダプタ部を３つの独立可動式の保持具（ｂｒａｃｋｅｔｓ３４）で構成し、各々を弾性帯体（ｗｏｒｍ  ｄｒｉｖｅ  ｈｏｓｅ  ｃｌａｍｐ４２）で連結したガードが紹介されている。
本実施例では、軸受部の外径に合わせて各保持具の位置を調整出来るため、アダプタを交換することなく、様々なディスクグラインダへの装着が可能となる。【０００９】  しかし本実施例において使用されている弾性帯体は変形自在であり、常に真円状態を保つことは出来ないため、特許文献３内における図４（ＦＩＧ．４）に示される様に、状況によっては、ガード（ｂｏｄｙ１４）の中心と３つの保持具が挟持する軸受部の中心が一致しない可能性がある。
【先行技術文献】
【特許文献】
【００１０】
【特許文献１】特開２０１７−８０８４４号  公報
【特許文献２】特開２００９−１７２６９６号  公報
【特許文献３】米国特許第８１３７１６５Ｂ２号  公報
【発明の概要】
【発明が解決しようとする課題】
【００１１】  上述した通り、ディスクグラインダは、円盤型刃具とガードの接触を避けるため、双方の中心位置を一致させなければならない。そのためにはディスクグラインダの軸受部に合ったアダプタを逐一用意する必要があり、様々なタイプのディスクグラインダに使用出来る、汎用性の高いガードを提供するのは現実的に困難であった。【００１２】  本発明の目的は、スピンドルを保持する軸受部の径が異なるディスクグラインダに対し、スピンドルとガードの中心を、共通のアダプタで一致させることが出来る、汎用性の高いガード装着機構を提供することである。
【課題を解決するための手段】
【００１３】  本発明は、内蔵した電動モータで回転駆動され、先端の一部におねじ部２を有するスピンドル３と、スピンドル３先端部に装着される円盤型刃具４と、スピンドル３を軸支する軸受部６の外周を挟持するアダプタ７を構成に含み、円盤型刃具４の外周の一部を覆うガード５と、を有するディスクグラインダにおいて、アダプタ７とガード５を別体とし、アダプタ７に設けられた固定用ねじ穴３４に対し、ガード５の一部に穿設された位置調整用穴３７から、固定用ボルト４０を締結する構成とした上で、ガード５にスピンドル３と同軸上にあるセンター穴３１を穿設し、スピンドル３とセンター穴３１の双方に対し隙間なく挿通可能な挿通穴３２および挿通軸３３を同軸上に有する調心器具３０を備えたことを特徴とする。【００１４】  また本発明は、上記アダプタ７を、ピン８で枢結させたクランプ（Ａ）９、クランプ（Ｂ）１０の２つからなる挟持具で構成し、クランプ（Ａ）９の開放端側にピン８の中心軸と同方向に枢結されたボルトホルダ（Ａ）１２と、クランプ（Ｂ）１０の開放端側にピン８の中心軸と同方向に枢結されたボルトホルダ（Ｂ）１９に対し、ボルトホルダ（Ａ）１２の中心軸を横貫する通し穴２５から、ボルトホルダ（Ｂ）１９中心軸を横貫するクランプねじ穴２６に向かって、クランプボルト２７を架設したことを特徴とする。【００１５】  また本発明は、上記アダプタ７の内周部に、軸受部６の外周に周設された溝２９と嵌合する、爪２８を設けたことを特徴とする。【００１６】  また本発明は、上記調心器具３０の挿通穴３２を、スピンドル３先端のおねじ部２と同じサイズのめねじ穴４３で構成したことを特徴とする。【００１７】  また本発明は、上記調心器具３０に、ガード５のセンター穴３１よりも大きい径を有する段差４４を設けたことを特徴とする。
【発明の効果】
【００１８】  請求項１記載の発明によれば、円盤型刃具４の回転軸となるスピンドル３の軸受部６を狭持するアダプタ７と、円盤型刃具４の外周の一部を覆うガード５とを連結する固定用ボルト４０の位置を、ガード５に設けられた位置調整用穴３７の範囲内で変更可能であるため、調心器具３０を、スピンドル３と、ガード５の中心に穿設されたセンター穴３１の、双方に挿通させた状態で固定用ボルト４０を締結すれば、たとえ軸受部６の径が異なるディスクグラインダでも、円盤型刃具４とガード５の中心位置を一致させることができ、両者の接触を防止することが可能となる。【００１９】  請求項２記載の発明によれば、クランプ（Ａ）９、クランプ（Ｂ）１０で構成されるアダプタ７を、軸受部６に設置し、クランプボルト２７を締結すれば、クランプ（Ａ）９、クランプ（Ｂ）１０が、ピン８を支軸として閉じ、軸受部６を強固に狭持することが出来る。
このとき、クランプボルト２７を保持するボルトホルダ（Ａ）１２、ボルトホルダ（Ｂ）１９が共に、クランプ（Ａ）９、クランプ（Ｂ）１０の開閉運動に合わせて、ピン８の中心軸と同方向周りに回動するため、たとえ軸受部６の径が異なるディスクグラインダでも、クランプボルト２７締結時の負荷は、双方のクランプにほぼ等しく分散され、どちらか一方に集中しにくい構造となっており、クランプの変形や破損を防止することが可能である。【００２０】  請求項３記載の発明によれば、アダプタ７内周に設けられた爪２８が、軸受部６外周に周設された溝２９と嵌合するため、ガード５が意図せず軸受部６から脱落することを、防止することが可能である。【００２１】  請求項４記載の発明によれば、調心器具３０をスピンドル３のおねじ部２に螺合させることが出来るので、アダプタ７をガード５に装着する際、調心器具３０が、意図せずスピンドル３から脱落することを、防止することが可能である。【００２２】  請求項５記載の発明によれば、調心器具３０をスピンドル３のおねじ部２に螺合させると同時に、段差４４がガード５のセンター穴３１周辺を押止するので、アダプタ７を、ガード５に仮固定することができ、その後の固定用ボルト４０の締結作業を、安定した状態で行うことが可能である。
【図面の簡単な説明】
【００２３】
【図１】本発明ガード装着機構の、操作状況を示す斜視展開図
【図２】本発明ガード装着機構の、アダプタ部の構造を示す斜視展開図
【図３】本発明ガード装着機構の、装着状況を示す断面図
【図４】本発明ガード装着機構の、操作状況を示す斜視展開図
【図５】本発明ガード装着機構の、他実施例における装着状況を示す断面図
【図６】本発明ガード装着機構の、他実施例における装着状況を示す断面図
【図７】本発明ガード装着機構の、他実施例における斜視イメージ図
【図８】スピンドル軸受部が異なるディスクグラインダに、従来方式によるガードを装着した場合の状況を示すイメージ図
【発明を実施するための形態】
【００２４】  以下、本発明の実施形態の基本的な構造を説明する。
【００２５】  電動工具、例えば一般的なディスクグラインダでは、図１に示すように、ハウジング１の内部に収納された、図示しない電動モータにより回転駆動される、先端の一部におねじ部２が設けられたスピンドル３を有しており、スピンドル３を軸支する軸受部６の外周には、ガード５が、アダプタ７を介して装着されている。
【００２６】  本発明によるガード装着機構では、ガード５とアダプタ７とが別体で構成されている。
アダプタ７は、図２に示すように、ピン８で枢結させたクランプ（Ａ）９、クランプ（Ｂ）１０の、２つからなる挟持具で構成されている。
【００２７】  ピン８の一端はクランプ（Ａ）９に圧入されており、もう一端に設けられたキャップ１１が、クランプ（Ｂ）１０を保持しており、クランプ（Ａ）９とクランプ（Ｂ）１０は、ピン８を支軸として、開閉自在な状態である。
【００２８】  クランプ（Ａ）９の開放端側には、ボルトホルダ（Ａ）１２が、クランプ（Ａ）９、およびクランプカバー（Ａ）１３の間で挟持されている。
ボルトホルダ（Ａ）１２は、両端に支持軸（Ａ１）１４、支持軸（Ａ２）１５を有しており、クランプ（Ａ）９、およびクランプカバー（Ａ）１３に設けられた、軸穴（Ａ１）１６、軸穴（Ａ２）１７により枢結されている。
クランプカバー（Ａ）１３は、カバー固定ネジ１８で、クランプ（Ａ）９に締結されている。
【００２９】  一方、クランプ（Ｂ）１０の開放端側には、ボルトホルダ（Ｂ）１９が、クランプ（Ｂ）１０、およびクランプカバー（Ｂ）２０の間で挟持されている。
ボルトホルダ（Ｂ）１９は、両端に支持軸（Ｂ１）２１、支持軸（Ｂ２）２２を有しており、クランプ（Ｂ）１０、およびクランプカバー（Ｂ）２０に設けられた、軸穴（Ｂ１）２３、軸穴（Ｂ２）２４により枢結されている。
クランプカバー（Ｂ）２０は、カバー固定ネジ１８で、クランプ（Ｂ）１０に締結されている。
【００３０】  ボルトホルダ（Ａ）１２には、中心軸を横貫する通し穴２５が、ボルトホルダ（Ｂ）１９には、中心軸を横貫するクランプねじ穴２６が、設けられており、通し穴２５からクランプねじ穴２６に向って、クランプボルト２７が架設されている。
【００３１】  本発明によるガード装着機構では、第一に、アダプタ７をディスクグラインダの軸受部６に設置し、クランプボルト２７を締結して、クランプ（Ａ）９、クランプ（Ｂ）１０を閉じ、両者で軸受部６を挟持固定する。
【００３２】  このときボルトホルダ（Ａ）１２およびボルトホルダ（Ｂ）１９は、クランプ（Ａ）９、クランプ（Ｂ）１０の開口角度に伴い、各々の支持軸周りに回動するので、クランプボルト２７締結時の負荷は、双方のクランプにほぼ等しく分散され、どちらか一方、どこか一か所に集中しにくい構造となっている。
【００３３】  またクランプ（Ａ）９、クランプ（Ｂ）１０の内周部（軸受部６との接触部）には、爪２８が設けられており、これらの爪２８は、図３に示す通り、軸受部６の外周に周設された溝２９と嵌合する様、構成されているため、クランプボルト２７を緩めない限り、アダプタ７が軸受部６から外れることはない。
【００３４】  そして第二に、スピンドル３に調心器具３０を挿通し、その上から、ガード５中心に穿設されたセンター穴３１を、調心器具３０に通した状態で、アダプタ７とガード５を当接させる。
【００３５】  このとき、スピンドル３と、スピンドル３が通過する調心器具３０の挿通穴３２、およびセンター穴３１と、センター穴３１を通過する調心器具３０の挿通軸３３との間は、各々隙間なく構成されている。
【００３６】  調心器具３０の挿通穴３２と挿通軸３３は同軸上にあるため、この時点で、スピンドル３とガード５は、中心位置が一致する様に位置調整されていることになる。
【００３７】  アダプタ７には、ガード５との連結用として、固定用ねじ穴３４が複数個所設けられている。
固定用ねじ穴３４には、ピン８の端面に設けられた基準ねじ穴３５、そしてクランプ（Ａ）９、およびボルトホルダ（Ａ）１２の端面に設けられた補助ねじ穴３６の２種類がある。
【００３８】  一方、ガード５には、アダプタ７の固定用ねじ穴３４に対応し、位置調整用穴３７が複数個所設けられており、こちらも、基準ねじ穴３５に対応した基準穴３８、補助ねじ穴３６に対応した補助長穴３９の２種類がある。
【００３９】  補助長穴３９は、基準穴３８を中心とした円弧形状であるため、クランプ（Ａ）９、クランプ（Ｂ）１０の開口角度が変化しても、基準穴３８から基準ねじ穴３５へ、補助長穴３９から補助ねじ穴３６へ、それぞれ固定用ボルト４０を締結することができ、その結果、アダプタ７とガード５を連結させることが可能である。
【００４０】  なお本実施例では、補助ねじ穴３６を、クランプ（Ａ）９側にのみ設けたが、これはクランプ（Ｂ）１０側、または両方のクランプに設けても構わない。
【００４１】  そして第三に、図４に示す通り、調心器具３０を抜き取り、フランジ４１、円盤型刃具４をスピンドル３に設置し、スピンドル３先端のおねじ部２にロックナット４２を締結すれば、装着作業完了である。
【００４２】  このときスピンドル３とガード５の中心は一致しているので、スピンドル３を回転軸とする円盤型刃具４も、ガード５中心に対し、ずれなく装着されていることになる。
【００４３】  次に本発明による別の実施形態を説明する。
【００４４】  図５に示す実施形態では、調心器具３０の挿通穴を、スピンドル３先端のおねじ部２と同サイズのめねじ穴４３で構成してあるため、調心器具３０がスピンドル３から意図せず脱落することがなくなり、ガード５の装着作業性を高めることが出来る。
【００４５】  図６に示す実施形態では、調心器具３０に、センター穴３１よりも径の大きな段差４４を設けてあるため、調心器具３０を、スピンドル３のおねじ部２に螺合させた際に、段差４４がガード５のセンター穴３１周辺を押止するので、アダプタ７をガード５に仮固定することができ、結果として、ガード５の装着作業性を更に高めることが出来る。
【００４６】  図７に示す実施形態は、本発明によるガード装着機構を、集塵機能付ガード４５に採用した際の実施例であり、このように付加価値を持たせた特殊なガードを、市場に存在する数多くのディスクグラインダに幅広く対応させる際の手段として、本発明は極めて有効なものとなる。
【符号の説明】
【００４７】１  ハウジング
２  おねじ部
３  スピンドル
４  円盤型刃具
５  ガード
６  軸受部
７  アダプタ
８  ピン
９  クランプ（Ａ）
１０  クランプ（Ｂ）
１１  キャップ
１２  ボルトホルダ（Ａ）
１３  クランプカバー（Ａ）
１４  支持軸（Ａ１）
１５  支持軸（Ａ２）
１６  軸穴（Ａ１）
１７  軸穴（Ａ２）
１８  カバー固定ネジ
１９  ボルトホルダ（Ｂ）
２０  クランプカバー（Ｂ）
２１  支持軸（Ｂ１）
２２  支持軸（Ｂ２）
２３  軸穴（Ｂ１）
２４  軸穴（Ｂ２）
２５  通し穴
２６  クランプねじ穴
２７  クランプボルト
２８  爪
２９  溝
３０  調心器具
３１  センター穴
３２  挿通穴
３３  挿通軸
３４  固定用ねじ穴
３５  基準ねじ穴
３６  補助ねじ穴
３７  位置調整用穴
３８  基準穴
３９  補助長穴
４０  固定用ボルト
４１  フランジ
４２  ロックナット
４３  めねじ穴
４４  段差
４５  集塵機能付ガード
４６  アダプタ付ガード
４７  ずれ
４８  隙間
【図１】
2018199202.tif 000003
【図２】
2018199202.tif 000004
【図３】
2018199202.tif 000005
【図４】
2018199202.tif 000006
【図５】
2018199202.tif 000007
【図６】
2018199202.tif 000008
【図７】
2018199202.tif 000009
【図８】
2018199202.tif 000010
【手続補正書】
【提出日】平成29年12月29日(2017.12.29)
【手続補正１】
【補正対象書類名】特許請求の範囲
【補正対象項目名】請求項１
【補正方法】変更
【補正の内容】
【請求項１】
内蔵した電動モータで回転駆動され、先端の一部におねじ部（２）を有するスピンドル（３）と、スピンドル（３）先端部に装着される円盤型刃具（４）と、スピンドル（３）を軸支する軸受部（６）の外周を挟持するアダプタ（７）を構成に含み、円盤型刃具（４）の外周の一部を覆うガード（５）と、を有する電動工具において、アダプタ（７）とガード（５）を別体とし、アダプタ（７）に設けられた固定用ねじ穴（３４）に対し、ガード（５）の一部に穿設された位置調整用穴（３７）から、固定用ボルト（４０）を締結する構成とした上で、ガード（５）にスピンドル（３）と同軸上にあるセンター穴（３１）を穿設し、スピンドル（３）に対し隙間なく挿通可能な挿通穴（３２）と、センター穴（３１）に対し隙間なく挿通可能な挿通軸（３３）とを有し、挿通穴（３２）と挿通軸（３３）とを同軸上に設けた調心器具（３０）を、ガード（５）やアダプタ（７）とは別体で備えたことを特徴とする、上記電動工具のガード装着機構。
【手続補正２】
【補正対象書類名】特許請求の範囲
【補正対象項目名】請求項２
【補正方法】変更
【補正の内容】
【請求項２】
上記アダプタ（７）を、ピン（８）で枢結させた第１クランプ（９）、第２クランプ（１０）の２つからなる挟持具で構成し、第１クランプ（９）の開放端側にピン（８）の中心軸と同方向に枢結された第１ボルトホルダ（１２）と、第２クランプ（１０）の開放端側にピン（８）の中心軸と同方向に枢結された第２ボルトホルダ（１９）に対し、第１ボルトホルダ（１２）の中心軸を横貫する通し穴（２５）から、第２ボルトホルダ（１９）中心軸を横貫するクランプねじ穴（２６）に向かって、クランプボルト（２７）を架設したことを特徴とする、請求項１に記載のガード装着機構。
【手続補正３】
【補正対象書類名】特許請求の範囲
【補正対象項目名】請求項３
【補正方法】変更
【補正の内容】
【請求項３】
上記アダプタ（７）の内周部に、軸受部（６）の外周に周設された溝（２９）と嵌合する、爪（２８）を設けたことを特徴とする、請求項１に記載のガード装着機構。
【手続補正４】
【補正対象書類名】特許請求の範囲
【補正対象項目名】請求項４
【補正方法】変更
【補正の内容】
【請求項４】
上記調心器具（３０）の挿通穴（３２）を、スピンドル（３）先端のおねじ部（２）と同じサイズのめねじ穴（４３）で構成したことを特徴とする、請求項１に記載のガード装着機構。
【手続補正５】
【補正対象書類名】特許請求の範囲
【補正対象項目名】請求項５
【補正方法】変更
【補正の内容】
【請求項５】
上記調心器具（３０）に、ガード（５）のセンター穴（３１）よりも大きい径を有する段差（４４）を設けたことを特徴とする、請求項１又は４に記載のガード装着機構。
【手続補正６】
【補正対象書類名】明細書
【補正対象項目名】００１３
【補正方法】変更
【補正の内容】
【００１３】  本発明は、内蔵した電動モータで回転駆動され、先端の一部におねじ部２を有するスピンドル３と、スピンドル３先端部に装着される円盤型刃具４と、スピンドル３を軸支する軸受部６の外周を挟持するアダプタ７を構成に含み、円盤型刃具４の外周の一部を覆うガード５と、を有するディスクグラインダにおいて、アダプタ７とガード５を別体とし、アダプタ７に設けられた固定用ねじ穴３４に対し、ガード５の一部に穿設された位置調整用穴３７から、固定用ボルト４０を締結する構成とした上で、ガード５にスピンドル３と同軸上にあるセンター穴３１を穿設し、スピンドル３に対し隙間なく挿通可能な挿通穴３２と、センター穴３１に対し隙間なく挿通可能な挿通軸３３とを有し、挿通穴３２と挿通軸３３とを同軸上に設けた調心器具３０を、ガード５やアダプタ７とは別体で備えたことを特徴とする。
【手続補正７】
【補正対象書類名】明細書
【補正対象項目名】００１４
【補正方法】変更
【補正の内容】
【００１４】  また本発明は、上記アダプタ７を、ピン８で枢結させた第１クランプ９、第２クランプ１０の２つからなる挟持具で構成し、第１クランプ９の開放端側にピン８の中心軸と同方向に枢結された第１ボルトホルダ１２と、第２クランプ１０の開放端側にピン８の中心軸と同方向に枢結された第２ボルトホルダ１９に対し、第１ボルトホルダ１２の中心軸を横貫する通し穴２５から、第２ボルトホルダ１９中心軸を横貫するクランプねじ穴２６に向かって、クランプボルト２７を架設したことを特徴とする。
【手続補正８】
【補正対象書類名】明細書
【補正対象項目名】００１９
【補正方法】変更
【補正の内容】
【００１９】  請求項２記載の発明によれば、第１クランプ９、第２クランプ１０で構成されるアダプタ７を、軸受部６に設置し、クランプボルト２７を締結すれば、第１クランプ９、第２クランプ１０が、ピン８を支軸として閉じ、軸受部６を強固に狭持することが出来る。
このとき、クランプボルト２７を保持する第１ボルトホルダ１２、第２ボルトホルダ１９が共に、第１クランプ９、第２クランプ１０の開閉運動に合わせて、ピン８の中心軸と同方向周りに回動するため、たとえ軸受部６の径が異なるディスクグラインダでも、クランプボルト２７締結時の負荷は、双方のクランプにほぼ等しく分散され、どちらか一方に集中しにくい構造となっており、クランプの変形や破損を防止することが可能である。
【手続補正９】
【補正対象書類名】明細書
【補正対象項目名】００２６
【補正方法】変更
【補正の内容】
【００２６】  本発明によるガード装着機構では、ガード５とアダプタ７とが別体で構成されている。
アダプタ７は、図２に示すように、ピン８で枢結させた第１クランプ９、第２クランプ１０の、２つからなる挟持具で構成されている。
【手続補正１０】
【補正対象書類名】明細書
【補正対象項目名】００２７
【補正方法】変更
【補正の内容】
【００２７】  ピン８の一端は第１クランプ９に圧入されており、もう一端に設けられたキャップ１１が、第２クランプ１０を保持しており、第１クランプ９と第２クランプ１０は、ピン８を支軸として、開閉自在な状態である。
【手続補正１１】
【補正対象書類名】明細書
【補正対象項目名】００２８
【補正方法】変更
【補正の内容】
【００２８】第１クランプ９の開放端側には、第１ボルトホルダ１２が、第１クランプ９、および第１クランプカバー１３の間で挟持されている。
第１ボルトホルダ１２は、両端に第１−１支持軸１４、第１−２支持軸１５を有しており、第１クランプ９、および第１クランプカバー１３に設けられた、第１−１軸穴１６、第１−２軸穴１７により枢結されている。
第１クランプカバー１３は、カバー固定ネジ１８で、第１クランプ９に締結されている。
【手続補正１２】
【補正対象書類名】明細書
【補正対象項目名】００２９
【補正方法】変更
【補正の内容】
【００２９】  一方、第２クランプ１０の開放端側には、第２ボルトホルダ１９が、第２クランプ１０、および第２クランプカバー２０の間で挟持されている。
第２ボルトホルダ１９は、両端に第２−１支持軸２１、第２−２支持軸２２を有しており、第２クランプ１０、および第２クランプカバー２０に設けられた、第２−１軸穴２３、第２−２軸穴２４により枢結されている。
第２クランプカバー２０は、カバー固定ネジ１８で、第２クランプ１０に締結されている。
【手続補正１３】
【補正対象書類名】明細書
【補正対象項目名】００３０
【補正方法】変更
【補正の内容】
【００３０】第１ボルトホルダ１２には、中心軸を横貫する通し穴２５が、第２ボルトホルダ１９には、中心軸を横貫するクランプねじ穴２６が、設けられており、通し穴２５からクランプねじ穴２６に向って、クランプボルト２７が架設されている。
【手続補正１４】
【補正対象書類名】明細書
【補正対象項目名】００３１
【補正方法】変更
【補正の内容】
【００３１】  本発明によるガード装着機構では、第一に、アダプタ７をディスクグラインダの軸受部６に設置し、クランプボルト２７を締結して、第１クランプ９、第２クランプ１０を閉じ、両者で軸受部６を挟持固定する。
【手続補正１５】
【補正対象書類名】明細書
【補正対象項目名】００３２
【補正方法】変更
【補正の内容】
【００３２】  このとき第１ボルトホルダ１２および第２ボルトホルダ１９は、第１クランプ９、第２クランプ１０の開口角度に伴い、各々の支持軸周りに回動するので、クランプボルト２７締結時の負荷は、双方のクランプにほぼ等しく分散され、どちらか一方、どこか一か所に集中しにくい構造となっている。
【手続補正１６】
【補正対象書類名】明細書
【補正対象項目名】００３３
【補正方法】変更
【補正の内容】
【００３３】  また第１クランプ９、第２クランプ１０の内周部（軸受部６との接触部）には、爪２８が設けられており、これらの爪２８は、図３に示す通り、軸受部６の外周に周設された溝２９と嵌合する様、構成されているため、クランプボルト２７を緩めない限り、アダプタ７が軸受部６から外れることはない。
【手続補正１７】
【補正対象書類名】明細書
【補正対象項目名】００３７
【補正方法】変更
【補正の内容】
【００３７】  アダプタ７には、ガード５との連結用として、固定用ねじ穴３４が複数個所設けられている。
固定用ねじ穴３４には、ピン８の端面に設けられた基準ねじ穴３５、そして第１クランプ９、および第１ボルトホルダ１２の端面に設けられた補助ねじ穴３６の２種類がある。
【手続補正１８】
【補正対象書類名】明細書
【補正対象項目名】００３９
【補正方法】変更
【補正の内容】
【００３９】  補助長穴３９は、基準穴３８を中心とした円弧形状であるため、第１クランプ９、第２クランプ１０の開口角度が変化しても、基準穴３８から基準ねじ穴３５へ、補助長穴３９から補助ねじ穴３６へ、それぞれ固定用ボルト４０を締結することができ、その結果、アダプタ７とガード５を連結させることが可能である。
【手続補正１９】
【補正対象書類名】明細書
【補正対象項目名】００４０
【補正方法】変更
【補正の内容】
【００４０】  なお本実施例では、補助ねじ穴３６を、第１クランプ９側にのみ設けたが、これは第２クランプ１０側、または両方のクランプに設けても構わない。
【手続補正２０】
【補正対象書類名】明細書
【補正対象項目名】００４７
【補正方法】変更
【補正の内容】
【００４７】  １  ハウジング
２  おねじ部
３  スピンドル
４  円盤型刃具
５  ガード
６  軸受部
７  アダプタ
８  ピン
９  第１クランプ
１０  第２クランプ
１１  キャップ
１２  第１ボルトホルダ
１３  第１クランプカバー
１４  第１−１支持軸
１５  第１−２支持軸
１６  第１−１軸穴
１７  第１−２軸穴
１８  カバー固定ネジ
１９  第２ボルトホルダ
２０  第２クランプカバー
２１  第２−１支持軸
２２  第２−２支持軸
２３  第２−１軸穴
２４  第２−２軸穴
２５  通し穴
２６  クランプねじ穴
２７  クランプボルト
２８  爪
２９  溝
３０  調心器具
３１  センター穴
３２  挿通穴
３３  挿通軸
３４  固定用ねじ穴
３５  基準ねじ穴
３６  補助ねじ穴
３７  位置調整用穴
３８  基準穴
３９  補助長穴
４０  固定用ボルト
４１  フランジ
４２  ロックナット
４３  めねじ穴
４４  段差
４５  集塵機能付ガード
４６  アダプタ付ガード
４７  ずれ
４８  隙間